(57)【要約】【課題】プールを遊泳など本来の用途以外に利用するため、可動床が水面上で支持装置によって支持されていない場合に、プールの水を消火用水などに使用するため排水すると、可動床が上方に取り残されてしまうのを自動的に検知して、可動床を降下させたり、自動的に排水動作の開始を阻止したりして可動床を保護することができるプールを提供する。【解決手段】可動床と、可動床を昇降させる可動床駆動装置と、プールの水抜き操作を検知する水抜き検知手段とを有し、水抜き検知手段が水抜き操作を検知した場合、可動床駆動装置により可動床を最下限まで降下させるように構成した。【選択図】図１
2005290705.tif 000002
【特許請求の範囲】
【請求項１】
可動床と、可動床を昇降させる可動床駆動装置と、可動床を支持する支持装置と、プールの水抜き操作を検知する水抜き検知手段とを有し、可動床が水位最上位に位置し、なおかつ可動床が支持装置により支持さてれていないときに、水抜き検知手段が水抜き操作を検知した場合、可動床駆動装置により可動床を最下限まで降下させることを特徴とする可動床を有するプール。
【請求項２】
可動床と、可動床を昇降させる可動床駆動装置と、可動床を支持する支持装置と、可動床の高さ位置を検知する可動床位置検出手段と、プールの水位を検知する水位検出手段と、プールの水抜き操作を検知する水抜き検知手段とを有し、可動床が水位最上位に位置し、なおかつ可動床が支持装置により支持さてれていないときに、水抜き検知手段が水抜き操作を検知した場合、可動床駆動装置と可動床位置検出手段とにより可動床をプールの水位まで降下させることを特徴とする可動床を有するプール。
【請求項３】
可動床と、可動床を昇降させる可動床駆動装置と、可動床を支持する支持装置と、可動床が支持装置によって支持されていることを検知する支持装置検知手段と、排水ポンプ始動検知手段とを有し、可動床が支持装置によって支持されていることを支持装置検知手段が検知しない場合は、排水ポンプ始動検知手段により、プールの排水動作を阻止することを特徴とする可動床を有するプール。
【請求項４】
可動床と、可動床を昇降させる可動床駆動装置と、可動床を支持する支持装置と、可動床が支持装置によって支持されていることを検知する支持装置検知手段と、プールの水抜き操作を検知する水抜き検知手段とを有し、支持装置検知手段が支持装置の存在を検知しない場合、水抜き検知手段によって水抜き操作を阻止することを特徴とする可動床を有するプール。
【発明の詳細な説明】
【技術分野】
【０００１】
本発明は、プール自体の床、つまりプールの底とは別に昇降可能な可動床を設け、多目的に利用できるようにした、可動床を有するプールに係り、特に、災害時における生活用水や火災発生時における消火用水としてプールの水を利用することができる可動床を有するプールに関する。
【背景技術】
【０００２】
従来、プール自体の床とは別に昇降可能な可動床を設け、遊泳や水中歩行運動など、使用目的に合わせて可動床によって水深調整を行う可動床を有するプールが知られていた。
【０００３】
また、プール施設の稼働率を向上させるため、プールを本来の目的、すなわち遊泳用や水中歩行用に利用する以外の目的に使用することも提案されている。
【０００４】
例えば、プールの水を抜かずに可動床を水面上まで上昇させ、可動床を支柱などで強固に支えて広い床面積を確保し、非常時の非難場所として利用したり、イベント会場として利用したりすることも提案されている。
【０００５】
一般的に可動床は、内部に空洞が形成されており、その浮力を利用することで可動床の昇降駆動力を小さくすることができる。
【０００６】
しかし、可動床が支柱などの支持装置によって支持されていない場合、プールの水を抜くと可動床が上部に取り残されてしまい、可動床に浮力が作用しなくなるため、可動床が自重あるいは荷重により撓んで、変形あるいは損傷する危険がある
【０００７】
可動床をイベント会場として利用する場合などは、機械類の荷重や人の体重が加わるため、さらに荷重が大きくなり危険な状態となる。
【０００８】
そのため、このような場合には、特許文献１乃至特許文献５に示すような構造からなる支柱などにより支持するのが一般的である。
【０００９】
一方、火災が発生した場合、プールの水を消火用水として利用したり、また、災害発生時に濾過して飲用水に利用したり、生活用水としていろいろな用途に利用することができれば望ましい。
【００１０】
しかし、火災などの緊急時にプールの水を消火用水として使用する場合は、プールの設備にあまり精通していない消防士が、可動床の支持装置の有無を確認せず、プールの水を利用して急いで消火作業を進めようとしてしまうことも起こり得る。
【００１１】
また、プールの清掃を行う場合でも、作業員が可動床の位置確認を怠り、あるいは可動床の支持装置の有無を確認せず、可動床を上部に位置させたまま水抜きを行ってしまう危険もあり得る。
【００１２】
【特許文献１】特開２００３−０９７０７１
【００１３】
【特許文献２】特開２００２−３７１７１９
【００１４】
【特許文献３】特開２００２−２７６１８０
【００１５】
【特許文献４】特開２０００−１９２６８０
【００１６】
【特許文献５】特開平０９−１２５７２４
【発明の開示】
【発明が解決しようとする課題】
【００１７】
この発明は、かかる現状に鑑み創案されたものであって、その第１の目的とするところは、可動床が水位最上位に位置し、なおかつ可動床が支持装置により支持さてれていない場合に水抜きを行う時は、自動的に可動床を最下限まで降下させ、可動床の撓みや損傷を防止する可動床を有するプールを提供しようとすることにある。
【００１８】
また、本発明の第２の目的は、プールの水抜きを行う場合、可動床を自動的に水位まで追随して降下させ、常に水による浮力を利用して、可動床の撓みや損傷を防止する可動床を有するプールを提供しようとすることにある。
さらに、本発明の第３の目的は、可動床が支持装置によって支持されていない場合、排水操作や水抜き操作を行っても排水や水抜きを阻止し、可動床の撓みや損傷を防止する可動床を有するプールを提供しようとすることにある。
【課題を解決するための手段】
【００１９】
上記目的を達成するため、請求項１に記載の発明にあっては、可動床と、可動床を昇降させる可動床駆動装置と、可動床を支持する支持装置と、プールの水抜き操作を検知する水抜き検知手段とを有し、可動床が水位最上位に位置し、なおかつ可動床が支持装置により支持さてれていないときに、水抜き検知手段が水抜き操作を検知した場合、可動床駆動装置により可動床を最下限まで降下させることを特徴とする。
【００２０】
請求項２に記載の発明にあっては、可動床と、可動床を昇降させる可動床駆動装置と、可動床を支持する支持装置と、可動床の高さ位置を検知する可動床位置検出手段と、プールの水位を検知する水位検出手段と、プールの水抜き操作を検知する水抜き検知手段とを有し、可動床が水位最上位に位置し、なおかつ可動床が支持装置により支持さてれていないときに、水抜き検知手段が水抜き操作を検知した場合、可動床駆動装置と可動床位置検出手段とにより可動床をプールの水位まで降下させることを特徴とする。
【００２１】
請求項３に記載の発明にあっては、可動床と、可動床を昇降させる可動床駆動装置と、可動床を支持する支持装置と、可動床が支持装置によって支持されていることを検知する支持装置検知手段と、排水ポンプ始動検知手段とを有し、可動床が支持装置によって支持されていることを支持装置検知手段が検知しない場合は、排水ポンプ始動検知手段の作用によりプールの排水動作を阻止することを特徴とする。
【００２２】
請求項４に記載の発明にあっては、可動床と、可動床を昇降させる可動床駆動装置と、可動床を支持する支持装置と、可動床が支持装置によって支持されていることを検知する支持装置検知手段と、プールの水抜き操作を検知する水抜き検知手段とを有し、支持装置検知手段が支持装置の存在を検知しない場合、水抜き検知手段によって水抜き操作を阻止することを特徴とする。
【発明の効果】
【００２３】
請求項１に記載の発明にあっては、可動床と、可動床を昇降させる可動床駆動装置と、可動床を支持する支持装置と、プールの水抜き操作を検知する水抜き検知手段とを有し、可動床が水位最上位に位置し、なおかつ可動床が支持装置により支持さてれていないときに、水抜き検知手段が水抜き操作を検知した場合、可動床駆動装置により可動床を最下限まで降下させるようにしたため、可動床が水面上に残されてしまうことがなく、可動床が撓わんだり損傷するのを確実に防止することができる。
【００２４】
請求項２に記載の発明にあっては、可動床と、可動床を昇降させる可動床駆動装置と、可動床を支持する支持装置と、可動床の高さ位置を検知する可動床位置検出手段と、プールの水位を検知する水位検出手段と、プールの水抜き操作を検知する水抜き検知手段とを有し、可動床が水位最上位に位置し、なおかつ可動床が支持装置により支持さてれていないときに、水抜き検知手段が水抜き操作を検知した場合、可動床駆動装置と可動床位置検出手段とにより可動床をプールの水位まで降下させるようにしたため、可動床が常に水の浮力によって水中で支持されるので、撓みや損傷の発生を確実に防止することができる。
【００２５】
請求項３に記載の発明にあっては、可動床と、可動床を昇降させる可動床駆動装置と、可動床を支持する支持装置と、可動床が支持装置によって支持されていることを検知する支持装置検知手段と、排水ポンプ始動検知手段とを有し、可動床が支持装置によって支持されていることを支持装置検知手段が検知しない場合は、排水ポンプ始動検知手段の作用によりプールの排水動作を阻止するようにしたため、可動床が支持装置によって支持されていない場合は、過ってプールの排水動作を行うことが防止でき、可動床が上部に取り残されて損傷するなどの心配がない。
【００２６】
請求項４に記載の発明にあっては、可動床と、可動床を昇降させる可動床駆動装置と、可動床を支持する支持装置と、可動床が支持装置によって支持されていることを検知する支持装置検知手段と、プールの水抜き操作を検知する水抜き検知手段とを有し、支持装置検知手段が支持装置の存在を検知しない場合、水抜き検知手段によって水抜き操作を阻止するようにしたため、可動床が支持装置によって支持されていない場合は、過ってプールの水抜き操作を行うことが防止でき、可動床が上部に取り残されて損傷するなどの心配がない。
【発明を実施するための最良の形態】
【００２７】
以下、添付図面に示す発明の実施例に基づき、この発明を詳細に説明する。
【実施例１】
【００２８】
図１は、本発明の第１乃至第４実施例に係る可動床を有するプールの断面図であり、プール１内には、内部が空洞化されて各重量が軽減された３枚の可動床２が並設されて配設されている。
【００２９】
符号３は必要に応じて可動床２を支持する支持装置であり、パンタグラフを上方に駆動して可動床２を支持する。
【００３０】
図２は図１の可動床２を上面から見た図であり、例としてそれぞれの可動床２に支持装置３が８個ずつ配置されている。
【００３１】
この支持装置３は、水面にある可動床２に大きな荷重がかかる場合や、可動床２を上部に残したまま水抜きを行う（浮力が得られなくなる）場合に作動して可動床２を支える。
【００３２】
支持装置３のパンタグラフの上部には支持装置検知手段４が設けられており、この支持装置検知手段４は、支持装置３が可動床２を支持しているか否かを検知する。
【００３３】
符号５は可動床駆動装置であり、チェーンにより可動床２を上下に昇降させることができる。
【００３４】
可動床駆動装置５には、図示しない可動床位置検出手段５１が設けられており、可動床駆動装置５の動きに連動して、可動床２がどの高さにあるかを常に検出している。
【００３５】
符号６はプールの水位を検出する水位検出手段であり、浮き６が水位に従って上下し、常にプールの水位を検出する。
【００３６】
符号７は可動床２がプールの最下限まで降下したときに、これを検知する最下限検知装置である。
【００３７】
符号８はプールの水を排水する排水ポンプであり、符号８１は排水ポンプ８が始動する場合に、これを検知する排水ポンプ始動検知手段である。
【００３８】
符号９は排水ポンプ８が排水動作を行うときに流れる水流を検知する水抜き検知手段である。
【００３９】
図３は、支持装置３、支持装置検知手段４、可動床位置検出手段５１、水位検出手段６、最下限検知装置７および水抜き検知手段９の動作関連を示すブロック図である。
【００４０】
符号５２は比較手段であり、可動床位置検出手段５１と水位検出手段６の検出値を比較し、可動床駆動装置５に指示を与える装置である。
【００４１】
図４は、実施例１における可動床駆動装置５、最下限検知装置７および水抜き検知手段９の動作関連を示す論理回路である。
【００４２】
排水ポンプ８によってプール１の水抜きが行われると、水抜き検出手段９がその水流を検出し、ＯＮ信号（１）をＮＯＲ回路１０およびＡＮＤ回路１１に出力する。
【００４３】
このとき最下限検知装置７は、可動床２が最下限まで降下していることを検知すればＯＮ信号（１）を、また、検知しなければＯＦＦ信号（０）をＮＯＲ回路１０に出力する。
【００４４】
要するに水抜き検出手段９が水抜きを検知し、かつ可動床２が最下限まで降下していることを最下限検知装置７が検知しないという条件の時のみ、ＡＮＤ回路１１はＯＮ信号を出力し、可動床駆動装置５を動作させ、可動床２を降下させる。
【００４５】
可動床２がプール１の最下限まで降下すると、最下限検知装置７がこれを検知し、その出力が１となるためＮＯＲ回路１０の出力は０となり、ＡＮＤ回路１０はＯＮ信号の出力を停止し、可動床駆動装置５は動作を停止する。
【００４６】
この実施例１に係る可動床を有するプールは、水抜き検知手段９が水抜き操作を検知した場合、可動床駆動装置５により可動床２をプールの最下限まで降下させるようにしたため、可動床２が水面より上に残されて撓みや損傷を生じることを防止することができる。
【実施例２】
【００４７】
図５は実施例２における可動床駆動装置５、比較手段５２および水抜き検知手段９の動作関連を示す論理回路である。
【００４８】
排水ポンプ８によってプール１の水抜きが行われると、その水流を水抜き検出手段９がこれを検出し、ＯＮ信号（１）をＡＮＤ回路１２，１３に出力する。
【００４９】
このとき可動床２がプールの水位の高さに位置していれば、比較手段５２は出力０であるが、可動床位置検出手段５１と水位検出手段６との値がずれていれば、即ち可動床２が水位の高さになければ比較手段５２の出力は１となり、ＡＮＤ回路１２の出力が１となり、ＡＮＤ回路１３の出力が１となって可動床駆動装置５が動作し、可動床２を水位まで移動させる。
【００５０】
この実施例２に係る可動床を有するプールは、水抜き検知手段９が水抜き操作を検知した場合、可動床駆動装置５により可動床２をプールの水位まで降下させるようにしたため、可動床２が常に水の浮力により支持されるので、撓みや損傷を生じることを防止することができる。
【実施例３】
【００５１】
図６は実施例３における支持装置検知手段４、排水ポンプ８および排水ポンプ始動検知手段８１の動作を示す論理回路である。
【００５２】
プール１の水抜きを開始するため排水ポンプ８を始動させようとすると、排水ポンプ始動検知手段８１がこれを検知し、ＯＮ信号（１）をＡＮＤ回路１４，１５に出力する。
【００５３】
このとき可動床２が支持装置３によって支持されていなければ、支持装置検知手段４の出力は０であり、排水ポンプ始動検知手段８１の出力は１であるため、ＡＮＤ回路１４の出力は０となり、従ってＡＮＤ回路１５の出力は０となって、排水ポンプ８の始動を阻止する。
【００５４】
この実施例３に係る可動床を有するプールは、可動床２が支持装置３によって支持されていない場合に、誤って排水ポンプ８を動作させようとても排水ポンプ８は動作しないため、支持装置３によって支持されていない可動床２が上方に残されたまま水抜きをしてしまうことがなく、可動床２を損傷させてしまうような危険を未然に防止できる。
【実施例４】
【００５５】
図７は実施例４における支持装置検知手段４、排水ポンプ８および水抜き検知手段９の動作を示す論理回路である。
【００５６】
排水ポンプ８によってプール１の水抜きが行われると、その水流を水抜き検知手段９がこれを検知し、ＯＮ信号（１）をＡＮＤ回路１６、１７に出力する。
【００５７】
このとき可動床２が支持装置３によって支持されていなければ、支持装置検知手段４の出力は０であり、一方、水抜き検知手段９の出力は１であるためＡＮＤ回路１６の出力は０となり、従ってＡＮＤ回路１７の出力も０となって、排水ポンプ８の動作を停止させる。
【００５８】
この実施例４に係る可動床を有するプールは、可動床２が支持装置３によって支持されていない場合に、誤って排水ポンプ８を動作させても直ちにその動作を停止させるため、可動床２が水の浮力を失うことがなく、可動床２を損傷させてしまうような危険を防止できる。
【産業上の利用可能性】
【００５９】
この発明に係る可動床を有するプールは、以上のように構成されているので、遊泳などプール本来の目的以外の用途に使用する場合、プールの水を消火用水などに使用する時の誤操作を防ぐことができ、誤操作による可動床の撓みや損傷を未然に防ぐことができる。
【図面の簡単な説明】
【００６０】
【図１】この発明に係る可動床を有するプールの実施例１に係るプールの構成を概略的に示すプールの断面図である。
【図２】同プールの可動床と可動床駆動装置の関係を示す平面図である。
【図３】同プールに配設される各装置の動作関連を示すブロック図である。
【図４】同プールにおける可動床駆動装置、最下限検知装置および水抜き検知手段の動作関連を示す論理回路である。
【図５】この発明に係る可動床を有するプールの実施例２における可動床駆動装置、比較手段および水抜き検知手段の動作関連を示す論理回路である。
【図６】この発明に係る可動床を有するプールの実施例３における支持装置検知手段、排水ポンプおよび排水ポンプ始動検知手段の動作を示す論理回路である。
【図７】この発明に係る可動床を有するプールの実施例４における支持装置検知手段、排水ポンプおよび水抜き検知手段の動作を示す論理回路である。
【符号の説明】
【００６１】
１  プール
２  可動床
３  支持装置
４  支持装置検出手段
５  可動床駆動装置
５１  可動床位置検出手段
５２  比較手段
６  水位検出手段
７  最下限検知装置
８  排水ポンプ
８１  排水ポンプ始動検知手段
９  水抜き検知手段
１０  ＮＯＲ回路
１１〜１５  ＡＮＤ回路
【図１】
2005290705.tif 000003
【図２】
2005290705.tif 000004
【図３】
2005290705.tif 000005
【図４】
2005290705.tif 000006
【図５】
2005290705.tif 000007
【図６】
2005290705.tif 000008
【図７】
2005290705.tif 000009